(57)【要約】【課題】酸化した探針の先端部を新しいものにすることを容易に且つ確実に行うことができる測定用探針を提供する。【解決手段】所定の測定装置に備えられる測定用探針において、先端部３０Ａが尖鋭な複数の探針部３０が一列に連結されて構成された測定用探針本体３を備え、第１探針部３０の後端部３０Ｂに、第２探針部３０の先端部３０Ａを収容する収容部３２を備え、第１探針部３０の収容部３２に第２探針部３０の先端部３０Ａが収容された状態で、第１探針部３０と第２探針部３０との間の電気的導通が可能な所定の固定手段により、第１探針部３０の後端部３０Ｂと第２探針部３０の先端部３０Ａとが連結固定され、第１探針部３０と第２探針部３０との連結固定部分は分離可能となっている。【選択図】図２
2008082889.tif 000002
【特許請求の範囲】
【請求項１】
所定の測定装置に備えられる測定用探針において、
先端部が尖鋭な複数の探針部が一列に連結されて構成された測定用探針本体と、
前記測定用探針本体を収容する筒状のケース体と、
を備え、
前記複数の探針部のうち、第１探針部の後端部に、第２探針部の前記先端部を収容する収容部を備え、
前記第１探針部の前記収容部に前記第２探針部の先端部が収容された状態で、前記第１探針部と前記第２探針部との間の電気的導通が可能な所定の固定手段により、前記第１探針部の前記後端部と前記第２探針部の先端部とが連結固定され、
前記固定手段により連結固定された前記第１探針部の前記収容部は、密閉されており、
前記第１探針部と前記第２探針部との連結固定部分は分離可能となっており、
前記探針部の先端部の表面部が抗酸化物質により形成されていることを特徴とする測定用探針。
【請求項２】
所定の測定装置に備えられる測定用探針において、
先端部が尖鋭な複数の探針部が一列に連結されて構成された測定用探針本体を備え、
前記複数の探針部のうち、第１探針部の後端部に、第２探針部の前記先端部を収容する収容部を備え、
前記第１探針部の前記収容部に前記第２探針部の先端部が収容された状態で、前記第１探針部と前記第２探針部との間の電気的導通が可能な所定の固定手段により、前記第１探針部の前記後端部と前記第２探針部の先端部とが連結固定され、
前記第１探針部と前記第２探針部との連結固定部分は分離可能となっていることを特徴とする測定用探針。
【請求項３】
前記固定手段により連結固定された前記第１探針部の前記収容部は、密閉されていることを特徴とする請求項２に記載の測定用探針。
【請求項４】
前記測定用探針本体を収容する筒状のケース体を備えることを特徴とする請求項２又は３に記載の測定用探針。
【請求項５】
前記探針部の先端部の表面部が抗酸化物質により形成されていることを特徴とする請求項２〜４のいずれか一項に記載の測定用探針。
【発明の詳細な説明】
【技術分野】
【０００１】
本発明は、テスターなどの所定の測定装置に備えられる測定用探針に関する。
【背景技術】
【０００２】
従来、長期使用することにより、探針が酸化してしまい、正常な波形を得られなくなるのを防ぐため、ホルダ内の探針を押し出すことにより当該探針を新しいものに交換することができるテスターが知られている（例えば、特許文献１）。
また、探針をアルミ線で構成し、当該アルミ線をホルダ内に通し、探針の先端部が汚れた場合には、当該探針を引き出し、先端部を切断することにより、探針を容易に補修することができるものも知られている（例えば、特許文献２）
また、探針に金合金材料を用いることで耐久性を向上させているものも知られている（例えば、特許文献３）。
【０００３】
一方、シャープペンシル等の筆記用針を保持するホルダを分割可能に構成し、当該筆記用針が使用により短くなった場合に、当該ホルダを折り取っていくことにより、筆記用針の先端を再度露出させることができるものも知られている（例えば、特許文献４）。
【特許文献１】特開２００２−２８６８０７号公報
【特許文献２】実開平５−０３３０６０号公報
【特許文献３】特開平７−０９９２２０号公報
【特許文献４】特開昭５９−２２２４００号公報
【発明の開示】
【発明が解決しようとする課題】
【０００４】
しかしながら、特許文献１の発明では、新しい探針に交換するためにいちいちホルダを分解しなくてはならず、面倒である。また、特許文献２の発明では、探針がアルミ線等の比較的軟質な線材の場合にしか適用できないし、探針の先端を尖鋭な状態とすることが難しい。また、特許文献３の発明のように探針に金合金材料を用いたとしても、使用頻度や使用期間の経過により、探針を変えなくてはならない。
また、特許文献４の発明は、筆記用針に関わるものであり、測定用探針と筆記用針とは材質及び硬度が大きく異なるものであり、上記問題を解決することができない。
【０００５】
本発明の課題は、酸化した探針の先端部を新しいものにすることを容易に且つ確実に行うことができる測定用探針を提供することである。
【課題を解決するための手段】
【０００６】
請求項１に記載の発明は、所定の測定装置に備えられる測定用探針において、
先端部が尖鋭な複数の探針部が一列に連結されて構成された測定用探針本体と、
前記測定用探針本体を収容する筒状のケース体と、
を備え、
前記複数の探針部のうち、第１探針部の後端部に、第２探針部の前記先端部を収容する収容部を備え、
前記第１探針部の前記収容部に前記第２探針部の先端部が収容された状態で、前記第１探針部と前記第２探針部との間の電気的導通が可能な所定の固定手段により、前記第１探針部の前記後端部と前記第２探針部の先端部とが連結固定され、
前記固定手段により連結固定された前記第１探針部の前記収容部は、密閉されており、
前記第１探針部と前記第２探針部との連結固定部分は分離可能となっており、
前記探針部の先端部の表面部が抗酸化物質により形成されていることを特徴としている。
【０００７】
請求項２に記載の発明は、所定の測定装置に備えられる測定用探針において、
先端部が尖鋭な複数の探針部が一列に連結されて構成された測定用探針本体を備え、
前記複数の探針部のうち、第１探針部の後端部に、第２探針部の前記先端部を収容する収容部を備え、
前記第１探針部の前記収容部に前記第２探針部の先端部が収容された状態で、前記第１探針部と前記第２探針部との間の電気的導通が可能な所定の固定手段により、前記第１探針部の前記後端部と前記第２探針部の先端部とが連結固定され、
前記第１探針部と前記第２探針部との連結固定部分は分離可能となっていることを特徴としている。
【０００８】
請求項３に記載の発明は、請求項２に記載の測定用探針において、
前記固定手段により連結固定された前記第１探針部の前記収容部は、密閉されていることを特徴としている。
【０００９】
請求項４に記載の発明は、請求項２又は３に記載の測定用探針において、
前記測定用探針本体を収容する筒状のケース体を備えることを特徴としている。
【００１０】
請求項５に記載の発明は、請求項２〜４のいずれか一項に記載の測定用探針において、
前記探針部の先端部の表面部が抗酸化物質により形成されていることを特徴としている。
【発明の効果】
【００１１】
請求項１に記載の発明によれば、測定用探針本体は、先端部が尖鋭な複数の探針部が一列に連結されることにより構成され、第１探針部の後端部に備えられる収容部により、第２探針部の先端部が収容され、所定の固定手段により、第１探針部の収容部に第２探針部の先端部が収容された状態で、第１探針部と第２探針部との間の電気的導通が可能なように、第１探針部の後端部と第２探針部の先端部とが連結固定され、第１探針部と第２探針部との連結固定部分は分離可能となっているので、第１探針部が使用により劣化した場合には、当該第１探針部を測定用探針本体から分離することにより、未使用の第２探針部を測定用探針本体の先端部とすることができ、酸化した探針の先端部を新しいものにすることを容易かつ確実に行うことができる。
【００１２】
また、固定手段により連結固定された第１探針部の収容部は、密閉されているので、当該収容部に収容される第２探針部の先端部が外気に触れることにより酸化してしまうことを防止することができる。
【００１３】
また、ケース体により、測定用探針本体が収容されるので、測定用探針本体の隣り合う探針部の連結固定部分が当該ケース体によって保護されることとなって、測定用探針を使用中に当該探針部の連結固定部分において探針部が分離してしまうことを防ぐことができる。
【００１４】
また、探針部の先端部の表面部が抗酸化物質により形成されているので、探針部の表面部を酸化しにくくすることができる。
【００１５】
請求項２に記載の発明によれば、測定用探針本体は、先端部が尖鋭な複数の探針部が一列に連結されることにより構成され、第１探針部の後端部に備えられる収容部により、第２探針部の先端部が収容され、所定の固定手段により、第１探針部の収容部に第２探針部の先端部が収容された状態で、第１探針部と第２探針部との間の電気的導通が可能なように、第１探針部の後端部と第２探針部の先端部とが連結固定され、第１探針部と第２探針部との連結固定部分は分離可能となっているので、第１探針部が使用により劣化した場合には、当該第１探針部を測定用探針本体から分離することにより、未使用の第２探針部を測定用探針本体の先端部とすることができ、酸化した探針の先端部を新しいものにすることを容易かつ確実に行うことができる。
【００１６】
請求項３に記載の発明によれば、請求項２に記載の発明と同様の効果が得られるのは勿論のこと、特に、固定手段により連結固定された第１探針部の収容部は、密閉されているので、当該収容部に収容される第２探針部の先端部が外気に触れることにより酸化してしまうことを防止することができる。
【００１７】
請求項４に記載の発明によれば、請求項２又は３に記載の発明と同様の効果が得られるのは勿論のこと、特に、ケース体により、測定用探針本体が収容されるので、測定用探針本体の隣り合う探針部の連結固定部分が当該ケース体によって保護されることとなって、測定用探針を使用中に当該探針部の連結固定部分において探針部が分離してしまうことを防ぐことができる。
【００１８】
請求項５に記載の発明によれば、請求項２〜４の何れか一項に記載の発明と同様の効果が得られるのは勿論のこと、特に、探針部の先端部の表面部が抗酸化物質により形成されているので、探針部の表面部を酸化しにくくすることができる。
【発明を実施するための最良の形態】
【００１９】
以下、図を参照して、本発明に係る測定用探針を実施するための最良の形態を詳細に説明する。
【００２０】
本発明に係る測定用探針１について図１を参照しながら説明する。図１（ａ）に、測定用探針１の斜視図を示し、図１（ｂ）に、図1（ａ）のＢ−Ｂ矢視断面図を示す。
【００２１】
本実施形態に係る測定用探針１は、例えば、図１に示すように、筒状に形成されたケース体２と、当該ケース体２の筒内に挿通されることにより保持される測定用探針本体３と、を備えて構成されている。
【００２２】
測定用探針本体３は、例えば、図１に示すように、先端部３０Ａが尖鋭な複数の探針部３０，・・・が一列に連結されて構成されている。なお、探針部３０の数は、図示例に限定されるものではなく、任意である。
また、測定用探針本体３の後端側には、例えば、ケーブル３１が接続されており、測定用探針本体３の先端部３０Ａにより検出された電流がケーブル３１に伝えられ、当該ケーブル３１を介して測定装置（図示省略）に出力され、測定されるようになっている。
【００２３】
探針部３０の先端部３０Ａは、先端にいくにつれて細くなるように、例えば、略円錐形状に形成されている。また、探針部３０の表面部は、例えば、金及び／又は白金を含む合金素材等の導電性の抗酸化物材料により形成されている。なお、探針部３０全体が、金及び／又は白金を含む合金素材等の導電性の抗酸化物材料により形成されていてもよい。
【００２４】
また、測定用探針本体３の先端側の探針部３０(以下、第１探針部３０とする)の後端部３０Ｂには、例えば、当該第１探針部３０と隣り合う探針部３０(以下、第２探針部３０とする)の先端部３０Ａを収容する収容部３２を備えている。
収容部３２は、例えば、探針部３０の後端部３０Ｂが、先端部３０Ａと略同形状にくり貫かれたように形成されており、例えば、略円錐形状の空間となっている。図２に、隣り合う探針部３０の連結構造の断面図を示す。
そして、例えば、図２に示すように、第１探針部３０の収容部３２に第２探針部の先端部３０Ａが収容された状態で、第１探針部３０と第２探針部３０との間の電気的導通が可能な所定の固定手段により、第１探針部３０の収容部３２と、第２探針部３０の先端部３０Ａとが連結固定されることにより、第１探針部３０と第２探針部３０とが連結されるようになっている。
ここで、所定の固定手段としては、例えば、半田付け、溶接等が挙げられる。
【００２５】
また、例えば、図２に示すように、第１探針部３０の収容部３２と、第２探針部３０の先端部３０Ａとは、僅かに隙間を空けた状態で連結固定されており、第１探針部３０の収容部３２は密閉され、密閉空間３３が形成されるようになっている。当該密閉空間３３に、例えば、所定のオイル等が注入されて、第２探針部３０の先端部３０Ａが保護されるように構成してもよい。
【００２６】
また、第１探針部３０と第２探針部３０とは、例えば、固定手段により、分離可能に連結固定されている。そして、測定用探針本体３の一番先端側の探針部３０が酸化等によって劣化した場合には、当該測定用探針本体３から当該探針部３０を分離することにより、当該測定用探針本体３の先端部３０Ａを新しい状態にすることができるようになっている。
【００２７】
また、ケース体２は、例えば、測定用探針本体３の一番先端側の探針部３０の先端部３０Ａのみが露出するように延出されて設けられている。そして、一番先端側の探針部３０が分離されることにより、新たに一番先端側となった探針部３０がケース体２より引き出されるようにしてもよい。
【００２８】
以上に説明した本発明に係る測定用探針１によれば、測定用探針本体３は、先端部３０Ａが尖鋭な複数の探針部３０が一列に連結されることにより構成され、第１探針部３０の後端部３０Ｂに備えられる収容部３２により、第２探針部３０の先端部３０Ａが収容され、所定の固定手段により、第１探針部３０の収容部３２に第２探針部３０の先端部３０Ａが収容された状態で、第１探針部３０と第２探針部３０との間の電気的導通が可能なように、第１探針部３０の後端部３０Ｂと第２探針部３０の先端部３０Ａとが連結固定され、第１探針部３０と第２探針部３０との連結固定部分は分離可能となっているので、第１探針部３０が使用により劣化した場合には、当該第１探針部３０を測定用探針本体３から分離することにより、未使用の第２探針部３０を測定用探針本体３の先端部３０Ａとすることができ、酸化した探針の先端部３０Ａを新しいものにすることを容易かつ確実に行うことができる。
【００２９】
また、固定手段により連結固定された第１探針部３０の収容部３２は密閉され、密閉空間３３が形成されているので、当該密閉空間３３により、当該収容部３２に収容される第２探針部３０の先端部３０Ａを保護することができる。
【００３０】
また、ケース体２により、測定用探針本体３が収容されるので、測定用探針本体３の隣り合う探針部３０の連結固定部分が当該ケース体２によって保護されることとなって、測定用探針１を使用中に当該探針部３０の連結固定部分において探針部３０が分離してしまうことを防ぐことができる。
【００３１】
また、探針部３０の先端部３０Ａの表面部が抗酸化物質により形成されているので、探針部３０の表面部を酸化しにくくすることができる。
【図面の簡単な説明】
【００３２】
【図１】本発明に係る測定用探針の一例を示す斜視図（図１（ａ））、及び、図１（ａ）のＢ−Ｂ断面図（図１（ｂ））である。
【図２】本発明の隣り合う探針部の連結構造を示す断面図である。
【符号の説明】
【００３３】
１  測定用探針
２  ケース体
３  測定用探針本体
３０  探針部，第１探針部，第２探針部
３０Ａ  先端部
３０Ｂ  後端部
３２  収容部
３３  密閉空間
【図１】
2008082889.tif 000003
【図２】
2008082889.tif 000004